(57)【特許請求の範囲】
【請求項１】
物品の盗難を防止するために物品に取り付けられて使用される物品監視装置の監視機能を解除する物品監視装置の機能解除装置であって、
前記監視機能を解除する解除信号を前記物品監視装置に対して発信する解除機能と、前記解除機能を作動不可能とする解除不能化機能とを有するハンディキーを少なくとも備え、
前記ハンディキーは、ハンディキーＩＤの入力に用いる入力部及び前記ハンディキーＩＤを記憶する記憶部を備え、
前記記憶部に記憶されたハンディキーＩＤと前記入力部から入力されたハンディキーＩＤとを照合し、両ＩＤが一致すると前記解除機能を作動可能とする解除可能化機能を有し、
前記解除不能化機能は、前記ハンディキーの内部に備えたタイマーに設定されたタイムアウト時間の経過と、前記ハンディキーの電源スイッチをオフにする操作と、のいずれによっても作動し、前記電源スイッチをオフにする操作の後に電源を投入しても、解除機能を作動不可能とする
物品監視装置の機能解除装置。
【請求項２】
前記ハンディキーとは別に、
前記物品監視装置に対して解除信号を発信する機能を有しないと共に、前記ハンディキーに対して使用許可信号を発信して前記ハンディキーの解除機能を作動可能とする解除可能化機能を有するマスターキーを備えた
請求項１に記載の物品監視装置の機能解除装置。
【請求項３】
前記マスターキーには、ハンディキーＩＤの入力に用いる入力部を備え、
前記マスターキーから前記ハンディキーに対し、前記入力部から入力されたハンディキーＩＤが転送され、前記ハンディキーでは、前記ハンディキーの記憶部に記憶されたハンディキーＩＤと前記転送されたハンディキーＩＤとを照合し、両ＩＤが一致すると前記解除機能を作動可能とする
請求項２に記載の物品監視装置の機能解除装置。
【請求項４】
前記マスターキーには、マスターキーＩＤの入力に用いる入力部と、マスターキーＩＤを記憶する記憶部とを備え、前記入力部から入力されたマスターキーＩＤと前記記憶部に記憶されたマスターキーＩＤとを照合し、両ＩＤが一致すると前記マスターキーの解除可能化機能を作動可能とする請求項３に記載の物品監視装置の機能解除装置。
【請求項５】
前記マスターキーには、前記ハンディキーの電池を充電する専用の充電部を備えた
請求項２乃至４のいずれかに記載の物品監視装置の機能解除装置。
【請求項６】
前記充電部には、前記ハンディキーに対して信号を発信するマスター信号発信部を備えた
請求項５に記載の物品監視装置の機能解除装置。
【請求項７】
前記ハンディキーの解除不能化機能は、前記ハンディキーの電源オフ時にも作動する
請求項１乃至６のいずれかに記載の物品監視装置の機能解除装置。
【請求項８】
前記ハンディキーの解除不能化機能は、前記ハンディキーの電池の電源容量が所定の値以下に低下したときにも作動する
請求項１乃至７のいずれかに記載の物品監視装置の機能解除装置。
【請求項９】
前記ハンディキーの解除可能化機能の作動時にブザーを鳴動させる
請求項１乃至８のいずれかに記載の物品監視装置の機能解除装置。
【請求項１０】
前記ハンディキーの解除不能化機能の作動時にブザーを鳴動させる
請求項１乃至９のいずれかに記載の物品監視装置の機能解除装置。
【請求項１１】
前記ハンディキーの解除不能化機能の作動後、前記解除機能が作動可能となるまで、前記ブザーの鳴動を続ける請求項１０に記載の物品監視装置の機能解除装置。
【請求項１２】
前記ハンディキーには、前記ゲートの通過時に前記ゲートを感知させる内部アンテナを備えた請求項１乃至１１のいずれかに記載の物品監視装置の機能解除装置。
【請求項１３】
店舗の特定の場所に据え付けられ前記物品監視装置の監視機能を解除する解除信号を前記物品監視装置に対して発信する解除機能を有するデスクトップキーが含まれる請求項１乃至１２のいずれかに記載の物品監視装置の機能解除装置。
【発明の詳細な説明】
【技術分野】
【０００１】
本発明は、各種物品の盗難防止のために物品に取り付けられる物品監視装置の監視機能を解除する機能解除装置に関する。
【背景技術】
【０００２】
各種物品の販売店等では、物品の盗難防止のために、各物品にタグと呼ばれる物品監視装置が取り付けられる場合がある。この物品監視装置は、陳列される物品に取り付けられ、客が会計処理を済ませることなく物品監視装置が取り付けられたままの物品を店外に持ち出そうとすると、店舗の出入り口等に設置されたゲートを物品監視装置が通過しようとした時に、ゲートまたは物品監視装置が警報音を発して店員に知らせることにより、物品が盗難にあうのを防止している。また、物品監視装置が不正に物品から取り外された時にも、物品監視装置が警報音を発して店員に知らせることとしている。
【０００３】
一方、客が購入等する物品について会計処理を済ませた場合には、レジ等で店員が物品監視装置の監視状態を解除して物品から取り外してから、代金と引き替えに物品のみを手渡し、購入された物品がゲートを通過する際にはゲートや物品監視装置が鳴らないようにしている。
【０００４】
物品解除装置を物品から取り外す際には、専用の機能解除装置が用いられる。この機能解除装置は、警報音が鳴動している物品監視装置についてはその鳴動を停止し、警報音が鳴っていない物品監視装置については警報音が鳴らない状態とする機能を有している。そして、物品監視装置の監視機能が機能解除装置によって解除されると、その物品監視装置が物品から取り外されても警報音が鳴ることはない（例えば特許文献１、２、３参照）。
【０００５】
【特許文献１】特開２００７−２０００５０号公報
【特許文献２】特開２０００−３３９５５７号公報
【特許文献３】特開平８−２１２４６７号公報
【発明の開示】
【発明が解決しようとする課題】
【０００６】
しかし、本来店員しか使用することができない機能解除装置が盗難等により第三者の手に渡ると、その機能解除装置を使用して物品監視装置の監視機能が解除されてしまうため、物品が容易に万引き可能となるという問題がある。
【０００７】
また、上記のようにして不正に取得された機能解除装置は、その店舗だけでなく、同種の物品監視装置が使用されている他の店舗においても使用できるため、使用されなくなった中古の機能解除装置が市場に出回る等すると、その機能解除装置によっても物品解除装置の監視機能を解除可能になり、物品の盗難被害が拡大するおそれもある。
【０００８】
一方、物品監視装置に対して個々にＩＤをつけておき、機能解除装置においてそのＩＤを指定しなければ機能の解除ができないように構成すれば、不正に取得された機能解除装置を他店で使用することはできなくなるが、物品監視装置を個別のＩＤ等で管理しようとすると、物品監視装置が高価になるという問題がある。
【０００９】
そこで本発明は、物品監視装置の機能解除装置を盗難等により第三者が不正に取得したとしても、その機能解除装置を使用できないようにして物品の盗難を防止し、経済的な方法によってセキュリティ性を高めることを目的とするものである。
【課題を解決するための手段】
【００１０】
本発明は、物品の盗難を防止するために物品に取り付けられて使用される物品監視装置の監視機能を解除する物品監視装置の機能解除装置に関するもので、監視機能を解除する解除信号を物品監視装置に対して発信する解除機能と、解除機能を作動不可能とする解除不能化機能とを有するハンディキーを少なくとも備え、ハンディキーは、ハンディキーＩＤの入力に用いる入力部及びハンディキーＩＤを記憶する記憶部を備え、記憶部に記憶されたハンディキーＩＤと前記入力部から入力されたハンディキーＩＤとを照合し、両ＩＤが一致すると解除機能を作動可能とする解除可能化機能を有し、解除不能化機能は、ハンディキーの内部に備えたタイマーに設定されたタイムアウト時間の経過と、ハンディキーの電源スイッチをオフにする操作と、のいずれによっても作動し、電源スイッチをオフにする操作の後に電源を投入しても、解除機能を作動不可能とする。
【００１１】
本発明の物品監視装置の機能解除装置では、ハンディキーとは別に、物品監視装置に対して解除信号を発信する機能を有しないと共にハンディキーに対して使用許可信号を発信してハンディキーの解除機能を作動可能とする解除可能化機能を有するマスターキーを備えてもよい。この場合、マスターキーにはハンディキーＩＤの入力に用いる入力部を備え、マスターキーからハンディキーに対し、入力部から入力されたハンディキーＩＤが転送され、ハンディキーでは、ハンディキーの記憶部に記憶されたハンディキーＩＤと転送されたハンディキーＩＤとを照合し、両ＩＤが一致すると前記解除機能を作動可能とすることが望ましい。また、マスターキーには、マスターキーＩＤの入力に用いる入力部とマスターキーＩＤを記憶する記憶部とを備え、入力部から入力されたマスターキーＩＤと記憶部に記憶されたマスターキーＩＤとを照合し、両ＩＤが一致するとマスターキーの解除可能化機能を作動可能とすることが望ましい。
【００１２】
マスターキーには、ハンディキーの電池を充電する専用の充電部を備えることが望ましい。この場合、充電部には、ハンディキーに対して信号を発信するマスター信号発信部を備えることが望ましい。
【００１３】
ハンディキーの解除不能化機能は、ハンディキーの電池の電源容量が所定の値以下に低下したときにも作動するようにすることが望ましい。また、ハンディキーの解除可能化機能の作動時やハンディキーの解除不能化機能の作動時にブザーを鳴動させることが望ましい。この場合、ハンディキーの解除不能化機能の作動後、解除機能が作動可能となるまで、ブザーの鳴動を続けることが望ましい。
【００１４】
更に、ハンディキーには、ゲートの通過時にゲートを感知させる内部アンテナを備えることが望ましい。
【００１５】
本発明の物品監視装置の機能解除装置には、ハンディキーに加えて、またはハンディキー及びマスターキーに加えて、店舗の特定の場所に据え付けられ物品監視装置の監視機能を解除する解除信号を物品監視装置に対して発信する解除機能を有するデスクトップキーが含まれる場合もある。
【発明の効果】
【００１６】
本発明は、ハンディキーの内部に備えたタイマーに設定されたタイムアウト時間の経過により解除不可能機能が作動するように構成したため、タイマーに所定のタイムアウト時間を設定しておけば、仮にハンディキーが店舗外に持ち出されたとしても、タイムアウト時間経過後に自動的にそのハンディキーの解除機能が作動不可能となる。また、ハンディキーの電源スイッチをオフにする操作によって解除不能化機能が作動し、電源スイッチをオフにする操作の後に電源を投入しても、解除機能が作動不可能となるため、何者かが、店員に気付かれずにゲートを通過してハンディキーを持ち出すためにハンディキーの電源をオフにすると、その後に電源を投入しても、解除不可能となったままであり、解除可能状態にすることはできない。したがって、そのハンディキーを使用して物品監視装置の監視機能を解除することはできなくなり、商品が盗難にあうのを防止することができる。また、個々の物品監視装置に個別にＩＤ等を付す必要もないため、経済的である。さらに、ハンディキーが、ハンディキーＩＤの入力に用いる入力部及びハンディキーＩＤを記憶する記憶部を備え、記憶部に記憶されたハンディキーＩＤと有力部から入力されたハンディキーＩＤとを照合し、両ＩＤが一致すると解除機能を作動可能とする解除可能化機能を有するため、ハンディキーが不正に持ち出されても、ハンディキーＩＤを知らないと解除機能を作動不可能な状態から作動可能な状態に移行させることができないため、安全性が高まる。
【００１７】
ハンディキーとは別に、物品監視装置に対して解除信号を発信する機能を有しないと共に、ハンディキーに対して使用許可信号を発信して前記ハンディキーの解除機能を作動可能とする解除可能化機能を有するマスターキーを備えると、ハンディキーが不正に持ち出されたとしても、ハンディキーの解除機能を作動可能とするにはマスターキーが必要とされるため、よりセキュリティ性が高まる。
【００１８】
マスターキーにハンディキーＩＤの入力に用いる入力部を備え、入力部から入力されたハンディキーＩＤがマスターキーからハンディキーに対して転送され、ハンディキーではハンディキーの記憶部に記憶されたハンディキーＩＤと転送されたハンディキーＩＤとを照合し、両ＩＤが一致すると解除機能を作動可能とすると、作動不可能となった解除機能を作動可能とするには、マスターキーを使用しかつハンディキーＩＤを知っていることが必要となるため、よりセキュリティ性が高まる。
【００１９】
マスターキーに、マスターキーＩＤの入力に用いる入力部と、マスターキーＩＤを記憶する記憶部とを備え、入力部から入力されたマスターキーＩＤと記憶部に記憶されたマスターキーＩＤとを照合し、両ＩＤが一致するとマスターキーの解除可能化機能を作動可能とすると、マスターキーが不正に使用されるのを防止することができる。
【００２０】
マスターキーに、ハンディキーの電池を充電する専用の充電部を備えると、ハンディキーの充電はマスターキーでしか行えないため、仮にハンディキーが不正に持ち出されたとしても、不正に充電されてハンディキーが使用されるのを防止することができる。
【００２１】
充電部に、ハンディキーに対して信号を発信するマスター信号発信部を備えると、ハンディキーの充電と共にハンディキーへの信号の発信を行うことができ、操作性が向上する。
【００２２】
ハンディキーの電池の電源容量低下時に解除不能化機能が作動するようにすると、仮にハンディキーが持ち出されたとしても、時間の経過によって物品監視装置の監視機能を解除することができなくなる。
【００２３】
解除可能化機能の作動時にブザーを鳴動させると、ハンディキーから物品監視装置に対して解除信号が発信可能となったことを店員が容易に確認することができる。
【００２４】
解除不能化機能の作動時にブザーを鳴動させると、ハンディキーが不正に持ち出されたり、不正な使用がなされたり、タイムアウト時間が経過したりしたことを店員が把握することができる。
【００２５】
解除不能化機能の作動後、解除機能が作動可能となるまでブザーの鳴動を続けるようにすると、ハンディキーが不正に持ち出されたり不正な使用がなされたりしたことを店員がより把握しやすくなると共に、ハンディキーを店外に持ち出そうとした者を特定することができる。
【００２６】
ハンディキーに、ゲートの通過時にゲートを感知させる内部アンテナを備えると、ハンディキーが不正に持ち出されようとする時にゲートを鳴動させることができ、店員に確実に知らせることができる。
【００２７】
以上のように、本発明は、何重もの仕掛けを施すことにより、物品監視装置の監視機能が不正に解除されて物品が盗難にあうのを確実に防止することができる。
【発明を実施するための最良の形態】
【００２８】
（１）第一の形態
図１に示すハンディキー１は、図２に示す物品監視装置２に対してその監視機能を解除する解除信号を発信する解除機能を有すると共に、外部信号を受信して自身の解除機能を作動不可能とする解除不能化機能を有する装置であり、自身の電源のオン／オフを行う電源スイッチ１０１と、物品監視装置２に対して解除信号を発信する際に押される押しボタン１０２と、事象の発生に応じて点灯または消灯するＬＥＤ等の発光部１０３と、電源となる電池を収容する電池収容部１０４と、電池収容部１０４に収容された電池を充電するための充電端子１０５と、内部のブザーから発せられる音を通過させる放音穴１０６とを備えている。
【００２９】
図２に示す物品監視装置２は、店舗に陳列される物品の盗難防止のために物品に取り付けて使用されるもので、物品から不正に取り外されたり、店舗に設けられたゲートを通過する時にゲートからの信号を受信したりすることによって鳴動する監視機能を有する自鳴式物品監視装置であり、内部のブザーから発せられる音を通過させる放音穴２０１と、図１に示したハンディキー１から発信される解除信号を受信する受信部２０２とを備えている。ゲートから発信される信号の周波数は、例えば２２ｋＨｚ、３１．５ｋＨｚ、３７．５ｋＨｚ、８．２ＭＨｚ、１０．５ＭＨｚ等である。また、磁気信号を使用することもできる。
【００３０】
図３に示すデスクトップキー３は、店舗のレジ等の特定の場所に据え付けられて使用されるものであり、物品監視装置２に対して解除信号を発信することにより物品監視装置２の監視機能を解除する解除機能を有し、この解除機能によって物品から物品監視装置２を取り外す際に警報音が鳴らないようにすると共に警報音が鳴っているときにその警報音の鳴動を止めるようにする機能解除装置である。デスクトップキー３は、操作案内等を表示させる表示部３０１と、各種番号等の入力に用いる入力部３０２と、レジのカウンター等に固定される被固定部３０３と、物品監視装置２に対して解除信号を発信する解除信号発信部３０４とを備えている。デスクトップキー３の電源としては、商用電源を使用することができる。
【００３１】
図４に示すマスターキー４は、店舗の事務所等の部外者が立ち入ることができない場所に置かれて使用されるもので、操作案内等を表示させる表示部４０１と、各種番号等の入力に用いる入力部４０２と、ハンディキー１を収容して充電するハンディキー１の充電に用いる専用の充電部４０３とを備えている。図５に示すように、充電部４０３には、複数のハンディキー１を収容して充電することができる。マスターキー４の電源としては、商用電源を使用することができる。マスターキー４は、デスクトップキー３とは異なり、物品監視装置２に対して解除信号を発信する機能を有しないが、ハンディキー１の解除機能を作動させるための使用許可信号を発信する解除可能化機能を有している。
【００３２】
ここで説明する第一の形態においては、図１に示したハンディキー１と、図３に示したデスクトップキー３と、図４に示したマスターキー４とで物品監視装置の機能解除装置が構成される。但し、デスクトップキー３は必須ではない。ハンディキー１が有する解除機能は、マスターキー４から使用許可信号が与えられることにより作動可能となるが、ハンディキー１自身が解除機能を作動可能とする機能を持っていてもよい。
【００３３】
図６に示すように、ハンディキー１には、図１に示した各部位に加えて、マスターキー４の充電部４０３に収容されて充電される電池１１１と、図１に示した電源スイッチ１０１の状態や電池１１１の電源容量を検出する電源検出部１１２と、各種制御を行うＣＰＵ等からなる制御部１１３と、各種情報を記憶するフラッシュメモリ等からなる記憶部１１４と、記憶された所定時間の経過を制御部１１３に通知するタイマー１１５と、マスターキー４から送信される信号を受信するマスター信号受信部１１６と、店舗に設置されたゲートから送信される信号（ゲート信号）を受信するゲート信号受信部１１７と、物品監視装置に対して解除信号を発信する解除信号発信部１１８と、所定の事象が生じると鳴動するブザー１１９とを備えている。電池１１１は、マスターキー４の充電部４０３によってのみ充電されるものである。また、マスター信号受信部１１６、ゲート信号受信部１１７、解除信号発信部１１８は、アンテナ、変調回路、復調回路等を有する。ゲート信号受信部１１７は、ゲート信号の周波数や磁気に対応している。ハンディキー１の内部のアンテナは、ハンディキー１が店舗のゲートを通過する際にゲートを感知させてゲートから警報音を鳴らす機能を有する。ハンディキー１が改造されるのを防止するために、内部の回路とアンテナ等とは一体構造とし、エポキシ樹脂等の充填により分解不可能な構造としておくことが望ましい。
【００３４】
デスクトップキー３には、図３に示した各部位に加えて、電源スイッチ３１１と、各種制御を行うマイコン等からなる制御部３１２と、入力された情報を記憶する記憶部３１３とを備えている。
【００３５】
マスターキー４には、図４及び図５に示した各部位に加えて、電源スイッチ４１１と、各種制御を行うマイコン等の制御部４１２と、各種情報を記憶するフラッシュメモリ等からなる記憶部４１３と、ハンディキー１に対して各種信号を発信するマスター信号発信部４１４とを備えている。マスター信号発信部４１４は、ハンディキー１のマスター信号受信部１１６と電気的に接続される構成としてもよいし、赤外線通信や無線等により非接触状態で接続されるようにしてもよい。図４及び図５に示した例では、充電部４０３にマスター信号発信部４１４を備えた構成となっており、この構成においては、ハンディキー１がマスターキー４の充電部４０３にセットされると、マスター信号発信部４１４とマスター信号受信部１１６との間で信号のやりとりが可能となる。
【００３６】
図７に示す店舗５の例では、１つの出入口５０に物品の盗難防止用の一対のゲート５１が設置されており、客が出入りする際にはこの２つのゲート５１の間を必ず通るように構成されている。ゲート５１は、ハンディキー１のアンテナを感知して鳴動する機能を有する。
【００３７】
出入り口５０の一方の側方にはレジカウンタ５２があり、レジカウンタ５２にはデスクトップキー３がネジ止め等によって固定されている。一方、出入り口５０のもう一方の側方には、店舗関係者のみが出入りできる事務所５３があり、その中にはマスターキー４が設置されている。商品棚５４に陳列された個々の物品には、例えば図２に示した物品監視装置２が取り付けられている。物品監視装置２は、物品に貼り付けるタイプ、物品に取り付けてロックするタイプ、ワイヤーを介して物品に取り付けるタイプ等、様々なタイプがある。
【００３８】
図１に示したハンディキー１は、店内にいる店員が携帯している。レジカウンタ５２を担当する店員がハンディキー１を携帯することもあり、この場合は、必ずしもデスクトップキー３がレジカウンタ５２に設置されていなくてもよい。ハンディキー１は、通常は１つの店舗に複数台備えられており、マスターキー４は、１つの店舗に最低１台備えられている。マスターキー４は事務所５３に設置されているため、盗難にあう可能性は極めて低いが、机等に固定しておくことが好ましい。
【００３９】
以下では、図１〜図７を参照しながら、図８〜図１１のフローチャートに沿って、ハンディキー１、デスクトップキー３及びマスターキー４の機能並びにその使用方法や、その使用に基づく物品の盗難を防止する方法について説明する。
【００４０】
最初に、デスクトップキー３の機能及び動作について、図８のフローチャートを参照して説明する。デスクトップキー３の電源を投入すると、最初にデスクトップキーの暗証番号（デスクトップキーＩＤ）の入力を促すメッセージが表示部３０１に表示される。ここで、入力部３０２からデスクトップキーＩＤを入力すると（ステップＳ１１）、記憶部３１３に記憶されているデスクトップキーＩＤとの照合が行われ（ステップＳ１２）、一致しない場合はエラーとなって再入力が要求され、一致するまではデスクトップキー３が使用不可能な状態となり、物品監視装置の監視機能を解除することはできない。なお、デスクトップキー３の出荷時には記憶部３１３に例えば００００というデスクトップキーＩＤが記憶されている。また、デスクトップキーＩＤを一定回数再入力しても一致しない場合には、デスクトップキー３が使用不可能になるようにしてもよい。
【００４１】
ステップＳ１２における照合の結果、入力されたデスクトップキーＩＤと記憶部３１３に記憶されたデスクトップキーＩＤとが一致すると、デスクトップキー３が解除可能な状態となり、表示部３０１にメニュー画面が表示される（ステップＳ１３）。ここで、解除可能な状態とは、物品監視装置２に対して解除信号を発信できる状態、換言すれば、解除機能が作動可能な状態であり、使用不可能な状態とは、物品監視装置２に対して解除信号を発信できない状態、すなわち解除機能が作動不可能な状態である。
【００４２】
メニュー画面では、「デスクトップキーＩＤ変更」、「機能解除」が表示され、いずれかを選択することができる。入力部３０２を操作して「デスクトップキーＩＤ変更」を選択すると、現在のデスクトップキーＩＤの入力を促す画面が表示部３０１に表示される。ここで現在のデスクトップキーＩＤを入力すると（ステップＳ１４）、入力されたデスクトップキーＩＤと記憶部３１３に記憶されたデスクトップキーＩＤとが照合され（ステップＳ１５）、両ＩＤが一致しない場合は再入力を要求する画面が表示され、一致した場合は新しいデスクトップキーＩＤの入力を要求する画面が表示部３０１に表示される。そしてここで新しいデスクトップキーＩＤを入力すると、そのデスクトップキーＩＤが記憶部３１３に上書きして記憶される（ステップＳ１６、Ｓ１７）。
【００４３】
一方、「機能解除」を選択した場合も、現在のデスクトップキーＩＤの入力を促す画面が表示部３０１に表示される。ここで現在のデスクトップキーＩＤを入力すると（ステップＳ１８）、入力されたデスクトップキーＩＤと記憶部３１３に記憶されたデスクトップキーＩＤとが照合され（ステップＳ１９）、両ＩＤが一致しない場合は再入力を要求する画面が表示部３０１に表示される。一方、両ＩＤが一致した場合は、客が会計を済ませるためにレジに持ってきた物品に取り付けられた物品監視装置に対して解除信号が発信される（ステップＳ２０）。この信号を受信した物品監視装置２は、自身の監視機能を停止させる。これによって、物品から物品監視装置を取り外しても警報音が鳴らない状態となる。図７に示した例では、レジカウンタ５２に固定されたデスクトップキー３の解除信号発信部３０４から購入対象の物品に取り付けられた物品監視装置２に対して解除信号が発信されることで、警報音を鳴らすことなく物品監視装置２を物品から取り外すことができる。
【００４４】
次に、マスターキー４の機能及び動作について、図９のフローチャートを参照して説明する。マスターキー４の電源をオンとすると、最初にマスターキーの暗証番号（マスターキーＩＤ）の入力を促すメッセージが表示部４０１に表示される。ここで、入力部４０２からマスターキーＩＤを入力すると（ステップＳ２１）、記憶部４１３に記憶されているマスターキーＩＤとの照合が行われ（ステップＳ２２）、一致しない場合はエラーとなって再入力が要求され、一致するまではマスターキー３が使用不可能な状態となる。なお、マスターキー４の出荷時には記憶部４１３に例えば００００というマスターキーＩＤが記憶されている。また、マスターキーＩＤを一定回数再入力しても一致しない場合には、マスターキー４が使用不可能になるようにしてもよい。
【００４５】
ステップＳ２２における照合の結果、入力されたマスターキーＩＤと記憶部４１３に記憶されたマスターキーＩＤとが一致すると、マスターキー４が使用可能な状態となり、表示部４０１にメニュー画面が表示される（ステップＳ２３）。ここで、使用可能な状態とは、図９に示す「マスターキーＩＤ変更」、「ハンディキーＩＤ変更」、「タイムアウト時間設定」、「ハンディキー使用許可」という各機能が作動可能な状態である。「ハンディキー使用許可」の機能が作動可能となることで、解除可能化機能が作動可能となる。
【００４６】
ステップＳ２３で表示されるメニュー画面では、「マスターキーＩＤ変更」、「ハンディキーＩＤ変更」、「タイムアウト時間設定」、「ハンディキー使用許可」が表示され、いずれかを選択することができる。ここで、入力部４０２の操作により「マスターキーＩＤ変更」を選択すると、現在のマスターキーＩＤの入力を促す画面が表示部４０１に表示される。そして、入力部４０２から現在のマスターキーＩＤが入力されると（ステップＳ２４）、制御部４１２において、入力されたマスターキーＩＤと記憶部４１３に記憶されたマスターキーＩＤとが照合され（ステップＳ２５）、両ＩＤが一致しない場合は、マスターキーＩＤを変更することはできない。一方、両ＩＤが一致すると、表示部４０１に新しいマスターキーＩＤの入力を促す画面が表示され、ここで新しいマスターキーＩＤが入力部４０２から入力されると、そのマスターキーＩＤが記憶部４１３に記憶され、変更が完了する（ステップＳ２６）。このように、マスターキーＩＤの変更操作の前に現在のマスターキーＩＤの入力を求め、入力されたマスターキーＩＤが設定済みのマスターキーＩＤと一致した場合に限りマスターキーＩＤの変更を認めるようにすることで、現在のマスターキーＩＤを知らないとマスターキーＩＤの変更を行うことができないため、マスターキーＩＤが不正に書き換えられて使用されるのを防止することができる。
【００４７】
ステップＳ２３で表示されたメニュー画面において「ハンディキーＩＤ変更」を選択すると、充電部４０３へのハンディキー１のセットとハンディキー１の電源の投入を指示するメッセージが表示部４０１に表示され、ここでハンディキー１を充電部４０３にセットしハンディキー１の電源スイッチ１０１をオンとすると（ステップＳ２７）、現在のハンディキーＩＤの入力を促す画面が表示される。そして、現在のハンディキーＩＤを入力部４０２から入力すると、制御部４１２による制御の下でそのハンディキーＩＤがマスター信号発信部４１４からハンディキー１に送信される（ステップＳ２８）。ハンディキーＩＤは、個々のハンディキーごとに個別に付してもよいし、すべてのハンディキーに同一のハンディキーＩＤを付してもよい。ハンディキー１では、図１０に示すように、マスターキー４から入力され送信されたハンディキーＩＤ情報を受信し（ステップＳ５０）、ハンディキー１の記憶部１１４に記憶されたハンディキーＩＤと照合する（ステップＳ５１）。そして、両ＩＤが一致していればＯＫメッセージ情報を作成し（ステップＳ５２）、一致していなければＮＧメッセージ情報を作成し（ステップＳ５３）、いずれかのメッセージ情報をマスターキー４に送信する（ステップＳ５４）。マスターキー４ではこのメッセージ情報を受信してＯＫメッセージかＮＧメッセージかを判断し（ステップＳ２９、Ｓ３０）、ＮＧメッセージであればエラーである旨を表示部４０１に表示させる（ステップＳ３１）。一方、ＯＫメッセージであれば、新しいハンディキーＩＤの入力を促す画面を表示部４０１に表示させ、新しいハンディキーＩＤが入力部４０２から入力されると、そのハンディキーＩＤをハンディキー１に送信する（ステップＳ３２）。このように、ハンディキーＩＤを変更するにあたっては、現在のハンディキーＩＤを知っていることが条件となるため、ハンディキーＩＤの不正な書き換えを防止することができる。なお、ハンディキー１におけるハンディキーＩＤ変更処理については後述する。
【００４８】
ステップＳ２３で表示されたメニュー画面において「タイムアウト時間設定」を選択すると、充電部４０３へのハンディキー１のセットとハンディキー１の電源の投入を指示するメッセージが表示部４０１に表示され、ここでハンディキー１を充電部４０３にセットすると共にハンディキー１の電源スイッチ１０１をオンとすると（ステップＳ３３）、現在のハンディキーＩＤの入力を促す画面が表示される。そして、現在のハンディキーＩＤを入力部４０２から入力すると、制御部４１２による制御の下でそのハンディキーＩＤがマスター信号発信部４１４からハンディキー１に送信される（ステップＳ３４）。そしてハンディキーにおいては、図１０に示した前述のステップＳ５０〜Ｓ５４の処理がなされ、マスターキー４ではハンディキー１から送信されたメッセージを受信してＯＫメッセージかＮＧメッセージかを判断し（ステップＳ３５、Ｓ３６）、ＮＧメッセージである場合はエラーである旨を表示部４０１に表示させる（ステップＳ３７）。一方、ＯＫメッセージである場合は、表示部４０１にタイムアウト時間の入力を促す画面を表示させる。このタイムアウト時間は、ハンディキー１の電源を自動的にオフにするか、または、解除信号の発信機能（解除機能）を作動不可能とする機能（解除不能化機能）を作動させるまでの所定時間のことであり、入力部４０２からタイムアウト時間が入力されると、マスターキー４からハンディキー１に対し、そのタイムアウト時間情報を含むタイムアウト時間設定信号がハンディキー１に送信される（ステップＳ３８）。その後のハンディキー１における処理については後述する。
【００４９】
メニュー画面において「ハンディキー使用許可」を選択すると、充電部４０３へのハンディキー１のセットとハンディキー１の電源の投入を指示するメッセージが表示部４０１に表示される。そして、ハンディキー１を充電部４０３にセットすると共にハンディキー１の電源スイッチ１０１をオンとすると（ステップＳ３９）、現在のハンディキーＩＤの入力を促す画面が表示される。そして、現在のハンディキーＩＤを入力部４０２から入力すると、マスターキー４の制御部４１２による制御の下でそのハンディキーＩＤがマスター信号発信部４１４からハンディキー１に転送される（ステップＳ４０）。そしてハンディキーにおいては、図１０のステップＳ５０〜Ｓ５４の処理がなされ、マスターキー４ではハンディキー１から送信されたメッセージを受信してＯＫメッセージかＮＧメッセージかを判断し（ステップＳ４１、Ｓ４２）、ＮＧメッセージである場合はエラーである旨を表示部４０１に表示させる（ステップＳ４３）。一方、ＯＫメッセージである場合は、制御部４１２の制御の下でマスター信号発信部４１４からハンディキー１に対して使用許可信号を送信する（ステップＳ４４）。ハンディキー１におけるその後の処理については後述する。
【００５０】
なお、ハンディキーＩＤ変更、タイムアウト時間設定、ハンディキー使用許可に関する処理は、マスターキー４とハンディキー１との間での信号のやりとりが可能な状態であれば、ハンディキー１を充電部４０３にセットせずに行うようにすることもできる。
【００５１】
次に、ハンディキー１の機能及び動作について説明する。図１１に示すように、ハンディキー１は、電源が投入されている状態において何らかの事象が発生すると、例えば制御部１１３に対する割り込み処理によって個々の事象に対応する処理を行う（ステップＳ５１）。
【００５２】
図９のステップＳ２８に示したように、ハンディキーＩＤ変更のためにマスターキー４から現在のハンディキーＩＤが送信されると、ハンディキー１では、図１０に示したステップＳ５０〜Ｓ５４のＩＤ照合処理を行う（ステップＳ５２）。そして、照合処理においてハンディキーＩＤが一致した場合は、マスターキー４から新しいハンディキーＩＤが送信されるため（ステップＳ３２）、ハンディキー１ではこれを受信し記憶部１１４に上書き記憶し、ハンディキーＩＤ変更処理が完了する（ステップＳ５３）。
【００５３】
図９のステップＳ３４に示したように、タイムアウト時間の設定のためにマスターキー４から現在のハンディキーＩＤが送信されると、ハンディキー１では、図１０に示したステップＳ５０〜Ｓ５４のＩＤ照合処理を行う（ステップＳ５４）。そして、照合処理においてハンディキーＩＤが一致した場合は、マスターキー４からタイムアウト時間設定信号が送信されるため（ステップＳ３８）、ハンディキー１ではそのタイムアウト時間設定信号を受信し（ステップＳ５５）、その信号に含まれるタイムアウト時間情報をタイマー１１５に記憶する（ステップＳ５６）。このタイムアウト時間情報がタイマー１１５に設定されることによりタイマー１１５が作動し、そのタイムアウト時間経過後に、ハンディキー１が有する解除不能化機能が自動的に作動する。
【００５４】
図９のステップＳ４０に示したように、ハンディキーを解除可能状態とするためにマスターキー４から現在のハンディキーＩＤが送信されると、ハンディキー１では、図１０に示したステップＳ５０〜Ｓ５４のＩＤ照合処理を行う（ステップＳ５７）。そして、照合処理においてハンディキーＩＤが一致した場合は、マスターキー４から使用許可信号が送信されるため（ステップＳ４４）、ハンディキー１ではこの使用許可信号を受信する（ステップＳ５８）。そして、この信号を受信すると、ハンディキー１は、解除信号発信部１１８から物品監視装置２に対して解除信号を発信できる状態、すなわち解除機能を作動可能な状態（解除可能状態）とする（ステップＳ５９）。これが解除可能化機能である。このとき、解除可能化機能が作動して解除可能状態となったことを店員に知らせるため、制御部１１３は発光部１０３を点灯させると共にブザー１１９を鳴動させる（ステップＳ６０、Ｓ６１）。一方、ステップＳ５７のＩＤ照合処理においてＩＤが一致しなかった場合はマスターキー４から使用許可信号が発信されないため、解除機能が作動不可能となった状態（解除不可能状態）のままとなる。なお、解除可能状態または解除不可能状態は、例えば記憶部１１４に設けたフラグの値によって設定することができるが、この方法には限定されない。
【００５５】
図１に示した押しボタン１０２が押されると、制御部１１３では、ハンディキー１が解除可能状態な状態かどうかを判断する（ステップＳ６２）。そして、解除可能状態であれば解除信号を発信して解除機能を作動させ（ステップＳ６３）、物品監視装置２の監視機能を解除する。また、制御部１１３は、解除信号が発信されたことを店員に知らせるために、発光部１０３を点灯させると共にブザー１１９を鳴動させる（ステップＳ６４、Ｓ６５）。一方、ハンディキー１が使用不可能状態であれば、解除信号を送信しない。
【００５６】
このようにしてハンディキー１が解除可能状態となっている場合でも、電源スイッチ１０１をオフにする操作、電池１１１の容量切れ、タイムアウト時間の経過、ゲートからの信号の受信という要因によって、ハンディキー１は自動的に解除可能状態となる。そして、解除不可能状態において押しボタン１０２が押されても、解除信号が発信されることはない。以下にその詳細を説明する。
【００５７】
例えば、ハンディキー１を何者かが店外に持ち出そうとすると、そのハンディキー１は、図７に示したゲート５１から外部信号であるゲート信号を受信する。そうすると、ハンディキー１では、解除不能化機能を作動させて、具体的には例えば制御部１１３が記憶部１１４に設けたフラグの値を書き換えることによって、ハンディキー１を使用不可能状態とし（ステップＳ６６）、発光部１０３を発光させると共に（ステップＳ６７）、ブザー１１９から警報音を鳴動させる（ステップＳ６８）。このように、ゲート信号の受信によりすぐにハンディキー１が使用不可能となり、しかも解除可能状態にすることができるのはマスターキー４だけであるため、そのハンディキー１が不正に利用されるのを防止することができる。また、この警報音は、そのハンディキー１に対してマスターキー４から使用許可信号を送ってハンディキー１の解除機能が作動可能となるまで鳴り続けるため、ハンディキー１が持ち出されようとしたことを店員が確実に把握することができる。このときにゲート５１がハンディキー１の内部アンテナを感知してゲート５１から警報音を発するようにしてもよい。
【００５８】
また、ステップＳ５６においてタイムアウト時間が設定されると、そのタイムアウト時間の経過後に、ハンディキー１は、自動的に使用不可能状態となる（ステップＳ６６）。具体的には、上記のように解除可能状態と解除不可能状態とがフラグによって制御されている場合は、タイムアウト時間の経過により、タイマー１１５が制御部１１３に対して割り込みをかけることにより、解除不可能状態をあらわす値にフラグをセットする。解除不可能状態となると、制御部１１３は、発光部１０３を発光させると共に（ステップＳ６７）、ブザー１１９を鳴動させる（ステップＳ６８）。このようにしてタイムアウト時間経過後にハンディキー１を解除不可能とすることにより、仮にハンディキー１がゲート信号を受信せずに持ち出されてしまったとしても、例えば店舗が開く前に所定のタイムアウト時間をタイマー１１５にセットしておけば、ハンディキー１が盗難にあったとしても、タイムアウト時間経過後に解除不可能状態となり、しかもハンディキー１を解除可能状態にすることができるのはマスターキー４のみであるため、そのハンディキー１が他店に持ち込まれて使用されるのを防止することができる。
【００５９】
図１に示したハンディキー１の電源スイッチ１０１をオフにすると、そのことを図６に示した電源検出部１１２が検知し、例えば記憶部１１４のフラグの値を書き換え解除不能化機能を作動させて解除不可能状態とする（ステップＳ６６）。ハンディキー１の電池１１１の電源容量が低下して予め設定された所定の値以下となった場合も同様である（ステップＳ６６）。いずれの場合も、次に電源を投入した際に、発光部１０３を発光させると共に（ステップＳ６７）、ブザー１１９から警報音を鳴動させる（ステップＳ６８）。この警報音は、マスターキー４から使用許可信号を受信するか電源をオフにしないかぎりは鳴り続ける。電源をオフとした後に電源を投入しても、解除不可能状態となったままであり、マスターキー４から使用許可信号を送信しないかぎりは解除可能状態にすることはできない。
【００６０】
以上のように、本発明では、ハンディキー１が解除可能な状態であっても、一定の要因により使用不可能な状態になるため、ハンディキー１が不正に持ち出されたとしても、物品監視装置の監視機能が解除されてしまうのを防止することができる。
【００６１】
（２）第二の形態
図１２に示すハンディキー６は、基本的には図１、６に示したハンディキー１と同様の機能を有するものであるが、テンキーを含む複数のボタンからなる入力部６０及び表示部６１を備えており、入力部６０をハンディキーＩＤ及びタイムアウト時間の入力並びに使用許可の操作に用いることができる。また、ハンディキー６は、ハンディキー１における押しボタン１０２を有していないが、入力部６０を構成する複数のボタンのうちの一つ、例えばボタン６０ａは、物品監視装置に対して解除信号を発信するための解除ボタンとして機能する。なお、図１２のハンディキー６において、図１及び図６に示したハンディキー１と共通する部位については同一の符号を付し、その説明は省略することとする。
【００６２】
ハンディキー６は、入力部６０及び表示部６１を有するため、図９に示したマスターキー４の「ハンディキーＩＤ変更」、「タイムアウト時間設定」、「使用許可」という機能をハンディキー６自身で行うことができ、必ずしもマスターキー４は必須とはならない。すなわちその場合は、ハンディキー６が単体で物品監視装置の機能解除装置となる。但し、ハンディキー６が入力部６０及び表示部６１を有していても、図６のハンディキー１と同様にマスター信号受信部１１６を有していれば、図９に示したようにマスターキー４の操作によって「ハンディキーＩＤ変更」、「タイムアウト時間設定」、「使用許可」という機能を実現することもできる。また、これらの機能の一部をマスターキー４において行い、その一部以外をハンディキー６において行うこともできる。「ハンディキーＩＤ変更」、「タイムアウト時間設定」、「使用許可」という機能をハンディキー６自身ですべて行う場合は、ハンディキー６にマスター信号受信部１１６を備える必要はない。以下では、これらの機能をすべてハンディキー６において行う場合について、図６、図１２及び図１３を参照して説明する。
【００６３】
ハンディキー１は、電源が投入されている状態において何らかの事象が発生すると、例えば制御部１１３に対する割り込み処理によって個々の事象に対応する処理を行う（ステップＳ７１）。表示部６１には、例えばメニューとして「ハンディキーＩＤ変更」、「タイムアウト時間設定」、「使用許可」という項目が表示されている。これらの項目から「ハンディキーＩＤ変更」を選択すると、表示部６１に現在のハンディキーＩＤの入力を促す画面が表示され、入力部６０からハンディキーＩＤを入力すると（ステップＳ７２）、入力されたハンディキーＩＤと記憶部１１４に記憶されたハンディキーＩＤとが照合され（ステップＳ７３）、一致しない場合はエラーである旨が表示され（ステップＳ７４）、一致した場合は新しいハンディキーＩＤの入力を促す画面が表示部６１に表示される。そして、新しいハンディキーＩＤを入力部６０から入力すると、そのハンディキーＩＤが記憶部１１４に記憶されハンディキーＩＤの変更処理が完了する（ステップＳ７５）。
【００６４】
メニュー画面において「タイムアウト時間設定」を選択すると、表示部６１に現在のハンディキーＩＤの入力を促す画面が表示され、入力部６０からハンディキーＩＤを入力すると（ステップＳ７６）、入力されたハンディキーＩＤと記憶部１１４に記憶されたハンディキーＩＤとが照合され（ステップＳ７７）、一致しない場合はエラーである旨が表示され（ステップＳ７８）、一致した場合はタイマーに設定する時間の入力を促す画面が表示部６１に表示される。このタイムアウト時間は、ハンディキー６の電源を自動的にオフにするか、または、解除信号の発信機能（解除機能）を作動不可能とする機能（解除不能化機能）を作動させるまでの所定時間のことであり、タイムアウト時間を入力部６０から入力すると（ステップＳ７９）、そのタイムアウト時間情報がタイマー１１５に記憶される（ステップＳ８０）。このタイムアウト時間情報がタイマー１１５に設定されることによりタイマー１１５が作動し、そのタイムアウト時間が経過することによって、ハンディキー１が有する解除不能化機能が自動的に作動する。
【００６５】
メニュー画面において「使用許可」を選択すると、表示部６１に現在のハンディキーＩＤの入力を促す画面が表示され、入力部６０からハンディキーＩＤを入力すると（ステップＳ８１）、入力されたハンディキーＩＤと記憶部１１４に記憶されたハンディキーＩＤとが照合され（ステップＳ８２）、一致しない場合はエラーである旨が表示され（ステップＳ８３）、一致した場合は、例えば制御部４１２が記憶部１１４に設けたフラグの値を書き換えることによって、ハンディキー６の解除機能を作動可能とする（解除可能化機能、ステップＳ８４）。そして、ハンディキー６が解除可能となったことを店員に知らせるために、発光部１０３を点灯させ（ステップＳ８５）、ブザー１１９を鳴動させる（ステップＳ８６）。
【００６６】
入力部６０を構成するボタンのうち解除ボタン６０ａが押されると、制御部１１３では、ハンディキー６が解除可能状態な状態かどうかを判断する（ステップＳ８７）。そして、解除可能状態であれば解除信号を発信し（ステップＳ８８）、物品監視装置２の監視機能を解除する。また、制御部１１３は、解除信号が発信されたことを店員に知らせるために、発光部１０３を点灯させ（ステップＳ８９）、ブザー１１９を鳴動させる（ステップＳ９０）。一方、ハンディキー１が解除不可能状態であれば、解除信号を発信しない。このとき、解除信号が発信されなかった旨を表示部６１に表示させるようにしてもよい。
【００６７】
このようにしてハンディキー１が解除可能状態となっている場合において、電源スイッチ１０１をオフにする操作、電池１１１の電源容量が所定の値以下となったこと、タイムアウト時間の経過、ゲート信号の受信という要因によって、解除不能化機能が作動すると、ハンディキー１は自動的に解除不可能状態となる（ステップＳ９１）。具体的には、これらのいずれかの要因によって、例えば制御部１１３が記憶部１１４に設けたフラグの値を書き換えることによって、ハンディキー１を解除不可能状態とし、発光部１０３を発光させると共に（ステップＳ９２）、ブザー１１９から警報音を鳴動させる（ステップＳ９３）。この警報音は、ハンディキー１の解除機能が作動可能となるまで鳴り続ける。解除不可能状態において解除ボタン６０ａが押されても、解除信号が発信されることはない。ゲート信号の受信を要因とする場合は、ゲート５１がハンディキー６の内部アンテナを感知してゲート５１から警報音を発するようにしてもよい。
【００６８】
ゲート信号の受信によりハンディキー６が解除不可能状態になると、そのハンディキーが持ち出されても使用することができず、しかもハンディキーＩＤを知らないと解除可能状態にすることができないため、そのハンディキー６が他店に持ち込まれて使用されるのを防止することができる。
【００６９】
タイムアウト時間経過によりハンディキー６が解除不可能状態になると、仮にハンディキー６がゲート信号を受信せずに持ち出されてしまったとしても、所定のタイムアウト時間をタイマー１１５にセットしておけば、ハンディキー６が盗難にあったとしても、タイムアウト時間経過後に使用不可能状態となり、ハンディキーＩＤを知らないと解除可能状態にすることができないため、そのハンディキー６が他店に持ち込まれて使用されるのを防止することができる。
【００７０】
電源のオフまたは電池１１１の容量切れによりハンディキー６が解除不可能状態になると、その後に電源を投入しても、解除不可能状態となったままであり、ハンディキーＩＤを知らないと解除可能状態にすることはできない。
【産業上の利用可能性】
【００７１】
本発明は、マスターキーがハンディキーを制御し、ハンディキーが物品監視装置を制御するか、またはマスターキーなしにハンディキーが物品監視装置を制御するように構成されるものであり、ハンディキーが不正に取得されると物品監視装置の機能を解除する解除機能が作動しなくなるため、物品監視装置の監視機能が不正に解除されるのを防止することができ、物品の盗難防止に役立つものである。
【図面の簡単な説明】
【００７２】
【図１】ハンディキーの一例を示す斜視図である。
【図２】物品監視装置の一例を示す斜視図である。
【図３】デスクトップキーの一例を示す斜視図である。
【図４】マスターキーの一例を示す斜視図である。
【図５】充電部にハンディキーが収容された状態を示す斜視図である。
【図６】物品監視装置の機能解除装置の構成の一例を示す機能ブロック図である。
【図７】店舗レイアウトの一例を示す平面図である。
【図８】デスクトップキーにおける処理の一例を示すフローチャートである。
【図９】マスターキーにおける処理の一例を示すフローチャートである。
【図１０】ハンディキーＩＤの照合処理の一例を示すフローチャートである。
【図１１】ハンディキーにおける処理の一例を示すフローチャートである。
【図１２】ハンディキーの第二の例を示す斜視図である。
【図１３】ハンディキーにおける処理の第二の例を示すフローチャートである。
【符号の説明】
【００７３】
１：ハンディキー
１０１：電源スイッチ  １０２：押しボタン  １０３：発光部  １０４：電池収容部
１０５：充電端子  １０６：放音穴
１１１：電池  １１２：電源検出部  １１３：制御部  １１４：記憶部
１１５：タイマー  １１６：マスター信号受信部  １１７：ゲート信号受信部
１１８：解除信号発信部  １１９：ブザー
２：物品監視装置
２０１：放音穴  ２０２：受信部
３：デスクトップキー
３０１：表示部  ３０２：入力部  ３０３：被固定部  ３０４：解除信号発信部
３１１：電源スイッチ  ３１２：制御部  ３１３：記憶部
４：マスターキー
４０１：表示部  ４０２：入力部  ４０３：充電部
４１１：電源スイッチ  ４１２：制御部  ４１３：記憶部
４１４：マスター信号発信部
５：店舗
５０：出入口  ５１：ゲート  ５２：レジカウンタ  ５３：事務所  ５４：商品棚
６：ハンディキー
６０：入力部  ６１：表示部
【図１】
0005129586.tif 000002
【図２】
0005129586.tif 000003
【図３】
0005129586.tif 000004
【図４】
0005129586.tif 000005
【図５】
0005129586.tif 000006
【図６】
0005129586.tif 000007
【図７】
0005129586.tif 000008
【図８】
0005129586.tif 000009
【図９】
0005129586.tif 000010
【図１０】
0005129586.tif 000011
【図１１】
0005129586.tif 000012
【図１２】
0005129586.tif 000013
【図１３】
0005129586.tif 000014